(57)【要約】【課題】  本発明の課題は、ＲＩＰに依存しないで、かつ、属性情報を指定しないでノックアウト処理が可能な製版データを作成する方法および装置を提供することである。【解決手段】  墨の色情報から構成される墨画像部品を含んだ製版データから、墨画像部品を抽出する墨画像部品抽出手段と、前記抽出した墨画像部品の色情報に、藍紅黄で構成された付加用色情報を付加する墨画像部品加工手段と、前記受信した製版データに含まれる元の墨画像部品を、前記付加用色情報を付加された墨画像部品に置き換えて、ノックアウト用製版データを生成するノックアウト用製版データ生成手段と、を備えることを特徴とするノックアウト用製版データ作成装置である。【選択図】図１
2006330152.tif 000002
【特許請求の範囲】
【請求項１】
墨の色情報から構成される墨画像部品を含んだ製版データから、墨画像部品を抽出する墨画像部品抽出手段と、
前記抽出した墨画像部品の色情報に、藍紅黄で構成された付加用色情報を付加する墨画像部品加工手段と、
前記受信した製版データに含まれる元の墨画像部品を、前記付加用色情報を付加された墨画像部品に置き換えて、ノックアウト用製版データを生成するノックアウト用製版データ生成手段と、
を備えることを特徴とするノックアウト用製版データ作成装置。
【請求項２】
前記墨画像部品抽出手段が、藍紅黄の色情報から構成されるカラー画像部品と墨の色情報から構成される墨画像部品を含んだ製版データから、カラー画像部品の位置情報と墨画像部品の位置情報から重なりを検知して、カラー画像部品と重なる墨画像部品を抽出する
ことを特徴とする請求項１に記載のノックアウト用製版データ作成装置。
【請求項３】
前記付加用色情報とは、藍色濃度が１％以下で０より大きな値、紅色濃度が１％以下で０より大きな値、黄色濃度が１％以下で０より大きな値の範囲であることを特徴とする請求項１、または、請求項２に記載のノックアウト用製版データ作成装置。
【請求項４】
墨の色情報から構成される墨画像部品を含んだ製版データから、墨画像部品を抽出する墨画像部品抽出ステップと、
前記抽出した墨画像部品の色情報に、藍紅黄で構成された付加用色情報を付加する墨画像部品加工ステップと、
前記受信した製版データに含まれる元の墨画像部品を、前記付加用色情報を付加された墨画像部品に置き換えて、ノックアウト用製版データを生成するノックアウト用製版データ生成ステップと、
を含んだ手順でなされることを特徴とするノックアウト用製版データ作成方法。
【請求項５】
前記墨画像部品抽出ステップが、藍紅黄の色情報から構成されるカラー画像部品と墨の色情報から構成される墨画像部品を含んだ製版データから、カラー画像部品の位置情報と墨画像部品の位置情報から重なりを検知して、カラー画像部品と重なる墨画像部品を抽出する
ことを特徴とする請求項４に記載のノックアウト用製版データ作成方法。
【請求項６】
前記付加用色情報とは、藍色濃度が１％以下で０より大きな値、紅色濃度が１％以下で０より大きな値、黄色濃度が１％以下で０より大きな値の範囲であることを特徴とする請求項４、または、請求項５に記載のノックアウト用製版データ作成方法。
【請求項７】
コンピュータに組込むことによって、コンピュータを請求項１から、請求項３までのいずれか1項に記載のノックアウト用製版データ作成装置として動作させるコンピュータプログラム。
【発明の詳細な説明】
【技術分野】
【０００１】
本発明は、印刷用デジタル製版工程において、集版した製版データを確実にノックアウト処理させるための製版データの作成装置、および、その作成方法に関するものである。なお、ノックアウトとは、製版工程において、色分解した色成分の中で、墨成分が重なっている部分の色成分を除去する処理である。
【背景技術】
【０００２】
藍紅黄の色情報から構成されるカラー画像（カラー・オブジェクト）データと墨の色情報から構成される墨色画像（墨オブジェクト）データを重ね合わせてデジタル製版するときには、墨オブジェクトと重なった部分のカラー・オブジェクトの色情報をノックアウト処理することで、濁りのないカラー印刷を実現させる。
【０００３】
たとえば、特許文献１には、軟包装グラビア製版の製版処理装置を提供する技術が開示されている。この技術は、複数のオブジェクトが重なり領域を持つ場合に、オブジェクトの色の重ね方を決める重なり領域性質情報と、オブジェクトの重なり順番を決める順位情報を各オブジェクトの属性情報として持たせることで、重なり領域の色情報を算出しようとするものである。
【特許文献１】特開平８−１０２８４５号公報（５〜１２頁、図８、１２      〜１４、１７〜２０）
【発明の開示】
【発明が解決しようとする課題】
【０００４】
しかし、特許文献１の技術は、各オブジェクトに持たせる属性情報が製版データ画像化装置（ＲＩＰ）の処理方法に依存しているために、ＲＩＰに対応させた製版データを作成準備しなければならないという問題点があった。
また、特許文献１の技術は、製版データの属性情報を指定することにより、ノックアウト処理を行うので、情報の指定を忘れるとノックアウト処理が行えないという欠点があった。
【０００５】
本発明の課題は、このような従来技術を考慮してなされたものであって、ＲＩＰに依存しないで、かつ、属性情報を指定しないでノックアウト処理が可能な製版データを作成する方法および装置を提供することである。
【課題を解決するための手段】
【０００６】
本発明は、以下のような解決手段により、前記課題を解決する。すなわち、請求項１に記載の発明は、墨の色情報から構成される墨画像部品を含んだ製版データから、墨画像部品を抽出する墨画像部品抽出手段と、前記抽出した墨画像部品の色情報に、藍紅黄で構成された付加用色情報を付加する墨画像部品加工手段と、前記受信した製版データに含まれる元の墨画像部品を、前記付加用色情報を付加された墨画像部品に置き換えて、ノックアウト用製版データを生成するノックアウト用製版データ生成手段と、を備えることを特徴とするノックアウト用製版データ作成装置である。
【０００７】
請求項２に記載の発明は、前記墨画像部品抽出手段が、藍紅黄の色情報から構成されるカラー画像部品と墨の色情報から構成される墨画像部品を含んだ製版データから、カラー画像部品の位置情報と墨画像部品の位置情報から重なりを検知して、カラー画像部品と重なる墨画像部品を抽出することを特徴とする請求項１に記載のノックアウト用製版データ作成装置である。
【０００８】
請求項３に記載の発明は、前記付加用色情報とは、藍色濃度が１％以下で０より大きな値、紅色濃度が１％以下で０より大きな値、黄色濃度が１％以下で０より大きな値の範囲であることを特徴とする請求項１、または、請求項２に記載のノックアウト用製版データ作成装置である。
【０００９】
請求項４に記載の発明は、墨の色情報から構成される墨画像部品を含んだ製版データから、墨画像部品を抽出する墨画像部品抽出ステップと、前記抽出した墨画像部品の色情報に、藍紅黄で構成された付加用色情報を付加する墨画像部品加工ステップと、前記受信した製版データに含まれる元の墨画像部品を、前記付加用色情報を付加された墨画像部品に置き換えて、ノックアウト用製版データを生成するノックアウト用製版データ生成ステップと、を含んだ手順でなされることを特徴とするノックアウト用製版データ作成方法である。
【００１０】
請求項５に記載の発明は、前記墨画像部品抽出ステップが、藍紅黄の色情報から構成されるカラー画像部品と墨の色情報から構成される墨画像部品を含んだ製版データから、カラー画像部品の位置情報と墨画像部品の位置情報から重なりを検知して、カラー画像部品と重なる墨画像部品を抽出することを特徴とする請求項４に記載のノックアウト用製版データ作成方法である。
【００１１】
請求項６に記載の発明は、前記付加用色情報とは、藍色濃度が１％以下で０より大きな値、紅色濃度が１％以下で０より大きな値、黄色濃度が１％以下で０より大きな値の範囲であることを特徴とする請求項４、または、請求項５に記載のノックアウト用製版データ作成方法である。
【００１２】
請求項７に記載の発明は、コンピュータに組込むことによって、コンピュータを請求項１、または、請求項３に記載のノックアウト用製版データ作成装置として動作させるコンピュータプログラムである。
【００１３】
このように、藍紅黄の色情報と墨の色情報とが重なった部分の色情報から、不要となる藍紅黄の色情報を除去することが出来る。
【発明の効果】
【００１４】
本願発明によれば、ＲＩＰの処理方法に依存せずに、ノックアウト製版処理を行えるので、ＲＩＰ対応させた製版データを作成せずに、ノックアウト製版処理が行えて、製版データ作成の能率が向上する。同時に、ＲＩＰに対応させた製版データを作成する必要がなくなるので、製版データの管理が容易になる。また、製版データの領域性質情報や属性情報を指定する必要がなくなるので、製版作業量が大幅に軽減される。
【発明を実施するための最良の形態】
【００１５】
以下、図面等を参照しながら、本発明の実施の形態について、更に詳しく説明する。図１は、製版データのノックアウト処理の大まかな流れの説明図である。ノックアウト用製版データ作成装置１００は、製版データを読み込み、製版データからカラー・オブジェクトと重なる墨オブジェクトを抽出する（図１（ア））。ノックアウト用製版データ作成装置１００は、このカラー・オブジェクトと重なりを持つ墨オブジェクトの墨の色情報（以下、Ｂｋ）に、藍紅黄の色情報が藍色濃度、紅色濃度、黄色濃度（以下、それぞれＣ、Ｍ、Ｙ）各１％で構成された付加用色情報を付加する（同（イ））。ノックアウト用製版データ作成装置１００は、付加用色情報を付加された墨オブジェクトを含んだノックアウト用製版データを生成する（同（ウ））。
【００１６】
ＲＩＰ３００は、カラー・オブジェクトと付加用色情報を付加された墨オブジェクトとを含んだ製版データを読み込む（同（カ））。ＲＩＰ３００は、墨オブジェクトが重なった部分のカラー・データがノックアウト加工したカラー・オブジェクトを生成する（同（キ））。ＲＩＰ３００は、付加用色情報を付加された墨オブジェクトから、付加用色情報ＣＭＹ各１％を除去する（同（ク））。ＲＩＰ３００は、ノックアウト加工されたカラー・オブジェクトと付加用色情報“ＣＭＹ各１％”を除去された墨オブジェクトとを含んだノックアウト加工された製版データが生成される（同（ケ））。
【００１７】
図２は、製版データのノックアウト処理の説明図である。たとえば、製版データ１６０は、色情報が“Ｃ＝２０％、Ｍ＝２０％、Ｙ＝１０％”のカラー・オブジェクトと色情報が“Ｂｋ＝９０％ ”の墨オブジェクトとが重なっている（図２（Ａ））。ノックアウト用製版データ作成装置１００では、この墨オブジェクトの色情報に、色情報が“Ｃ＝１％、Ｍ＝１％、Ｙ＝１％”の付加用色情報が付加される。付加用色情報を付加された墨オブジェクトの色情報は、“Ｂｋ＝９０％、Ｃ＝１％、Ｍ＝１％、Ｙ＝１％”となる。ここで、付加用色情報を付加された墨オブジェクトとカラー・オブジェクトとで構成されたノックアウト用製版データが作成される。ＲＩＰ３００に、このノックアウト用製版データを入力させると、カラー製版処理により容易にノックアウト加工される。つまり、墨オブジェクトが重なった部分のカラー・オブジェクトの色情報は、“ＣＭＹ各１％”に変更されて、また、墨オブジェクトの色情報は、“Ｂｋ＝９０％”と変更される。
【００１８】
なお、色情報が“Ｂｋ＝０〜１００％”の範囲の墨オブジェクトは、同等の効果を得ることが出来る。
【００１９】
図３は、本発明によるノックアウト用製版データ作成装置の詳細な構成図である。ノックアウト用製版データ作成装置１００は、墨オブジェクト抽出手段１１０と、墨オブジェクト加工手段１２０と、加工製版データ生成手段１３０と、記憶手段１５０とを備える。記憶手段１５０は、製版データ１６０と、ノックアウト用製版データ１７０とを記憶する。
【００２０】
墨オブジェクト抽出手段１１０は、製版データからカラー・オブジェクトと重なる墨オブジェクトを抽出する。墨オブジェクト加工手段１２０は、カラー・オブジェクトと重なりを持つ墨オブジェクトの“墨の色情報”１６２ｂに、色情報がＣＭＹ各１％である付加用色情報を付加する。“墨の色情報”１６２ｂの詳細は後述する。ノックアウト用製版データ生成手段１３０は、製版データに含まれるカラー・オブジェクトと重なる墨オブジェクトを、付加用色情報を付加された墨オブジェクトに置き換えて、ノックアウト用製版データを生成する。
【００２１】
墨オブジェクト抽出手段１１０と、墨オブジェクト加工手段１２０と、加工製版データ生成手段１３０とは、コンピュータプログラムである。記憶手段１５０は、記憶メモリーである。製版データ１６０と、ノックアウト用製版データ１７０とは、データになる。
【００２２】
図４は、製版データの説明図である。製版データ１６０は、色情報が墨成分のみで構成される墨オブジェクト１６２と、藍紅黄の色情報から構成されるカラー・オブジェクト１６３と、管理オブジェクト２４などを含んで構成される。墨オブジェクト１６２は、“墨ＩＤ”、“位置座標”１６２ａ、“墨の色情報”１６２ｂなどで、構成される。なお、“墨ＩＤ”は、墨オブジェクト１６２のユニークな識別記号であって、墨オブジェクト１６２の“位置座標”１６２ａは、左上Ｘ座標、左上Ｙ座標、右下Ｘ座標、右下Ｙ座標の値であって、墨オブジェクト１６２の“墨の色情報”１６２ｂは、Ｂｋの値である。
【００２３】
カラー・オブジェクト１６３は、“カラーＩＤ”、“位置座標”１６３ａ、“藍紅黄の色情報”１６３ｂなどで、構成される。なお、“カラーＩＤ”は、カラー・オブジェクト１６２のユニークな識別記号であって、カラー・オブジェクト１６３の“位置座標”１６３ａは、左上Ｘ座標、左上Ｙ座標、右下Ｘ座標、右下Ｙ座標の値であって、“藍紅黄の色情報”１６３ｂは、Ｙ、Ｍ、Ｃの値である。
【００２４】
管理オブジェクト１６４は、“管理ＩＤ”、“製版サイズ”、“仕上りサイズ”、“原点座標”、“トンボ位置”などで、構成される。
【００２５】
図５は、製版データノックアウト処理支援装置のフローチャートである。
（１）墨オブジェクト抽出手段１１０は、カラー・オブジェクト１６３と墨オブ    ジェクト１６２を含む製版データ１６０を読み込む。（ステップＳ１１０）    
（２）墨オブジェクト抽出手段１１０は、読み込んだ製版データ１６０に含まれ    る墨オブジェクト１６２とカラー・オブジェクト１６３とを抽出する（ステ    ップＳ１２０）
（３）墨オブジェクト１６２の位置座標１６２ａとカラー・オブジェクト１６３    の位置座標１６３ａとから、２つのオブジェクトが重なっているか判定する    。重なっていれば、次のステップに進む。かさなっていなければ、ステップ    （５）に進む。（ステップＳ１３０）
（４）墨オブジェクト加工手段１２０は、カラー・オブジェクト１６３と重なり    を持つ墨オブジェクト１６２の墨の色情報１６２ｂに、付加用色情報ＣＭＹ    各１％を付加する。（ステップＳ１４０）
（５）重なり判定をしていない墨オブジェクト１６２があれば、ステップ（３）    に戻る。全ての墨オブジェクト１６２の重なり判定が終了していれば、次の    ステップに進む。（ステップＳ１５０）
（６）ノックアウト用製版データ生成手段１３０は、製版データに含まれるカラ    ー・オブジェクト１６３と重なる墨オブジェクト１６２を、付加用色情報を    付加された墨オブジェクト１６２に置き換えて、ノックアウト用製版データ    １７０を生成して、終了する。（ステップＳ１６０）
【００２６】
なお、付加用色情報は、藍色濃度が１％以下で０より大きな値、紅色濃度が１％以下で０より大きな値、黄色濃度が１％以下で０より大きな値の範囲であれば、いずれの値でも、同様の効果を得ることができる。
【００２７】
以上詳しく説明したように、本願発明によれば、ＲＩＰの処理方法に依存せずに、ノックアウト製版処理を行えるので、ＲＩＰ対応させた製版データを作成せずに、ノックアウト製版処理が行えて、製版データ作成の能率が向上した。同時に、ＲＩＰに対応させた製版データを作成する必要がなくったので、製版データの管理が容易になった。また、製版データの領域性質情報や属性情報を指定する必要がなくなったので、製版作業量が大幅に軽減された。
【図面の簡単な説明】
【００２８】
【図１】製版データのノックアウト処理の大まかな流れの説明図
【図２】製版データのノックアウト処理の説明図
【図３】本発明による製版データノックアウト処理支援装置の詳細な構成図
【図４】製版データの構成を説明する図
【図５】製版データノックアウト処理支援装置のフローチャート
【符号の説明】
【００２９】
１００  ノックアウト用製版データ作成装置
１１０  墨オブジェクト抽出手段
１２０  墨オブジェクト加工手段
１３０  加工製版データ生成手段
１５０  記憶手段
１６０  製版データ
１６２  墨オブジェクト
１６２ａ  墨オブジェクトの位置座標
１６２ｂ  墨データ
１６３  カラー・オブジェクト
１６３ａ  カラー・オブジェクトの位置座標
１６３ｂ  カラー・データ
１７０  ノックアウト用製版データ
３００  ＲＩＰ
【図１】
2006330152.tif 000003
【図２】
2006330152.tif 000004
【図３】
2006330152.tif 000005
【図４】
2006330152.tif 000006
【図５】
2006330152.tif 000007